(57)【要約】【課題】光の組合せ模様を形成するための電飾機能を表示台枠に搭載するのに適した構造を提供すること。【解決手段】後レンズ部材４７の共締め孔５４内を通して表示台枠３５の内ボス部６３内にネジ５５を螺合することで後レンズ部材４７および前レンズ部材５７のそれぞれが一挙に表示台枠３５に固定される。この状態では後レンズ部材４７および前レンズ部材５７の双方から中空状のレンズボックス６６が構成される。このため、表示台枠３５がレンズボックス６６によって補強されるので、表示台枠３５を遊技盤２２の開口部３４内に補強状態で組付けることができる。【選択図】図５
2009226022.tif 000002
【特許請求の範囲】
【請求項１】
遊技球が転動することが可能な遊技領域を有する遊技盤と、
前記遊技盤に設けられ、前記遊技盤の遊技領域内を転動する遊技球が入球することが可能な始動口と、
前記遊技盤に設けられ、前記遊技盤の遊技領域内を転動する遊技球が入球することが可能な開放状態および入球することが不能な閉鎖状態相互間で切換えられる可変入球口と、
遊技球が前記始動口に入球することに基づいて前記可変入球口を開放状態にする大当りであるか否かを判定するメイン制御回路と、
前記遊技盤に設けられ、遊技者側である前方から視覚的に認識可能となるように配置されたものであって開口部を有する装飾枠と、
前記メイン制御回路の判定結果を遊技者に報知する図柄遊技の映像が表示される表示領域を有するものであって、表示領域が前方から前記装飾枠の開口部を通して視覚的に認識可能となるように配置された図柄表示器と、
前記装飾枠に設けられ、前方から見て前記装飾枠の開口部内に位置するものであって凹凸状の模様を有する後透光板および後透光板を取囲む後枠を有する後電飾部材と、
前記装飾枠に前記後電飾部材の前方に位置して設けられ、前方から見て前記装飾枠の開口部内に位置するものであって前記後電飾部材の後透光板とは異なる凹凸状の模様を有する前透光板および前透光板を取囲む前枠を有する前電飾部材と、
前記後電飾部材の後透光板を通して前記前電飾部材の前透光板に光を投射するものであって、前記後透光板の模様および前記前透光板の模様の双方に応じた光の模様を形成する光源と、
前記後電飾部材の後枠に設けられ、後方からネジが挿入された後ネジ挿入片と、
前記前電飾部材の前枠に設けられ、前記後電飾部材の後ネジ挿入片に前方から接触するものであって前記ネジが後方から挿入された前ネジ挿入片と、
前記装飾枠に設けられ、後方から前記ネジが螺合されることに基づいて前記後ネジ挿入片および前記前ネジ挿入片のそれぞれが共通に固定されたネジ螺合部を備え、
前記後電飾部材および前記前電飾部材は、前記後電飾部材および前記前電飾部材のそれぞれが共通の前記ネジを介して前記装飾枠に固定された状態で前記後枠および前記前枠相互間が接触すると共に前記後透光板および前記前透光板相互間が隙間を介して前後方向に対向する中空状の箱体を構成するものであることを特徴とするパチンコ遊技機。
【請求項２】
前記後電飾部材および前記前電飾部材の一方に設けられた筒状の嵌合部と、
前記後電飾部材および前記前電飾部材の他方に設けられ、前記嵌合部の内周面に嵌合されたものであって前記後電飾部材および前記前電飾部材のそれぞれを相互に組合された状態で前記装飾枠に前記ネジで固定するための被嵌合部を備えたことを特徴とする請求項１に記載のパチンコ遊技機。
【発明の詳細な説明】
【技術分野】
【０００１】
本発明は遊技球が始動口に入球することに基づいて大当りであるか否かを判定する構成のパチンコ遊技機に関する。
【背景技術】
【０００２】
上記パチンコ遊技機には遊技球が始動口に入球することに基づいて図柄表示器の表示領域内に図柄遊技の映像を表示する構成のものがある。この図柄遊技の映像は複数列の図柄要素のそれぞれを可変状態および可変停止状態で順に表示するものであり、遊技者には複数列の図柄要素の全てが可変停止した状態での複数列の図柄要素の組合せに応じて大当りであると判定されたか否かが報知される。この図柄表示器の表示領域は前方から装飾枠の開口部を通して視覚的に認識可能にされている。この装飾枠は前方から見て図柄表示器の表示領域を取囲むものであり、遊技盤に固定されている。
【特許文献１】特開２００３−１０４０８号公報
【特許文献２】特開２００１−１１２９３５号公報
【発明の開示】
【発明が解決しようとする課題】
【０００３】
特許文献１には２枚の透光板を遊技者から見て前後方向に隙間を介して相互に対向配置することが記載されている。これら２枚の透光板のそれぞれは相互に異なる凹凸状の模様が形成されたものであり、光源から投射された光は２枚の透光板のそれぞれを透過することで２つの模様が相互に組合わされた組合せ模様となる。この特許文献１は光の組合せ模様を形成するための電飾機能を遊技球が通過する球通路に搭載したものであり、装飾枠に搭載するには相応の工夫が必要である。
【０００４】
本発明は上記事情に鑑みてなされたものであり、光の組合せ模様を形成するための電飾機能を遊技盤の装飾枠に搭載するのに適した構造を備えたパチンコ遊技機を提供することを目的とするものである。
【課題を解決するための手段】
【０００５】
１．請求項１記載のパチンコ遊技機は［１］遊技盤〜［１２］ネジ螺合部を備えたところに特徴を有している。
［１］遊技盤は遊技球が転動することが可能な遊技領域を有するものである。図３の符号２２は遊技盤に相当し、図３の符号２７は遊技領域に相当する。
［２］始動口は遊技盤に設けられたものであり、遊技盤の遊技領域内を転動する遊技球が入球することが可能なものである。図３の符号２９は始動口に相当する。
［３］可変入球口は遊技盤に設けられたものであり、遊技盤の遊技領域内を転動する遊技球が入球することが可能な開放状態および入球することが不能な閉鎖状態相互間で切換えられるものである。図３の特別入賞口３０は可変入球口に相当する。
［４］メイン制御回路は遊技球が始動口に入球することに基づいて可変入球口を開放状態にする大当りであるか否かを判定するものである。
［５］装飾枠は遊技盤に設けられたものである。この装飾枠は遊技者側である前方から視覚的に認識可能となるように配置されたものであり、開口部を有する枠状をなしている。図４の表示台枠３５は装飾枠に相当し、図４の符号３５ａは開口部に相当する。
［６］図柄表示器はメイン制御回路の判定結果を遊技者に報知する図柄遊技の映像が表示される表示領域を有するものであり、表示領域が前方から装飾枠の開口部を通して視覚的に認識可能となるように配置されている。図３の符号３７は図柄表示器に相当し、図３の符号３８は表示領域に相当する。
［７］後電飾部材は装飾枠に設けられたものであり、前方から見て装飾枠の開口部内に配置されている。この後電飾部材は凹凸状の模様を有する後透光板および後透光板を取囲む後枠を備えたものであり、図５の後レンズ部材４７は後電飾部材に相当し、図５の後レンズ４８は後透光板に相当し、図５の後レンズ枠４９は後枠に相当する。
［８］前電飾部材は装飾枠に後電飾部材の前方に位置して設けられたものであり、前方から見て装飾枠の開口部内に配置されている。この前電飾部材は後電飾部材の後透光板とは異なる凹凸状の模様を有する前透光板および前透光板を取囲む前枠を有するものであり、図５の前レンズ部材５７は前電飾部材に相当し、図５の前レンズ５８は前透光板に相当し、図５の前レンズ枠５９は前枠に相当する。
［９］光源は後電飾部材の後透光板を通して前電飾部材の前透光板に光を投射するものであり、後透光板の模様および前透光板の模様の双方に応じた光の模様を形成する。図５のＬＥＤ４５は光源に相当する。
［１０］後ネジ挿入片は後電飾部材の後枠に設けられたものであり、後方からネジが挿入されたものである。図７の上取付片４９ａと下取付片４９ｂと中取付片４９ｃのそれぞれは後ネジ挿入片に相当し、図５の符号５５はネジに相当する。
［１１］前ネジ挿入片は前電飾部材の前枠に設けられたものである。この前ネジ挿入片は後電飾部材の後ネジ挿入片に前方から接触するものであり、後ネジ挿入片のネジが後方から挿入されたものである。図８の上取付片５９ａと下取付片５９ｂと中取付片５９ｃのそれぞれは前ネジ挿入片に相当する。
［１２］ネジ螺合部は装飾枠に設けられたものであり、後方から後ネジ挿入片のネジが螺合されることに基づいて後ネジ挿入片および前ネジ挿入片のそれぞれが共通に固定されたものである。これら後電飾部材および前電飾部材のそれぞれが共通のネジを介して装飾枠に固定された状態では後電飾部材の後枠および前電飾部材の前枠相互間が接触し、後電飾部材の後透光板および前電飾部材の前透光板相互間が隙間を介して前後方向に対向し、後電飾部材および前電飾部材から中空状の箱体が構成される。図５の内ボス部６３はネジ螺合部に相当し、図５のレンズボックス６６は箱体に相当する。
２．請求項２記載のパチンコ遊技機は［１］嵌合部〜［２］被嵌合部を備えたところに特徴を有している。
［１］嵌合部は後電飾部材および前電飾部材の一方に設けられた筒状をなすものである。図５の後ボス部５３は嵌合部に相当する。
［２］被嵌合部は後電飾部材および前電飾部材の他方に設けられたものである。この被嵌合部は嵌合部の内周面に嵌合されたものであり、後電飾部材および前電飾部材のそれぞれを相互に組合された状態で装飾枠に固定するためのものである。図５の前ボス部６５は被嵌合部に相当する。
【発明の効果】
【０００６】
１．請求項１記載のパチンコ遊技機の効果の説明
後電飾部材の後ネジ挿入片から前電飾部材の前ネジ挿入片を通して装飾枠のネジ螺合部にネジを螺合することで後電飾部材および前電飾部材のそれぞれが一挙に装飾枠の開口部内に固定される。これら後電飾部材および前電飾部材のそれぞれが装飾枠の開口部内に固定された状態では後電飾部材および前電飾部材の双方から中空状の箱体が構成されるので、装飾枠の開口部内に箱体が介在されることに基づいて装飾枠の剛性が箱体の非存在時に比べて高まる。
２．請求項２記載のパチンコ遊技機の効果の説明
嵌合部および被嵌合部相互間に嵌合することに基づいて後電飾部材および前電飾部材相互間を組合せ、後電飾部材および前電飾部材のそれぞれを組合せ状態で装飾枠の開口部内に固定することができる。
【発明を実施するための最良の形態】
【０００７】
【実施例１】
【０００８】
外枠１は、図１に示すように、前面および後面のそれぞれが開口する四角筒状をなすものであり、上下方向へ指向する左側板と上下方向へ指向する右側板と左右方向へ指向する上板と左右方向へ指向する下板を相互に接合することから構成されている。この外枠１はパチンコホールの台島に設置されるものであり、外枠１の左側板には上金具２および下金具３のそれぞれが固定されている。この上金具２には上下方向へ指向する円柱状の上軸４が固定されており、下金具３には上下方向へ指向する円柱状の下軸５が固定されている。これら上軸４および下軸５のそれぞれは軸心線ＣＬが相互に共通の垂直線上に配置されたものであり、外枠１には下金具３の下方に位置して横長な長方形状の化粧板６が固定されている。
【０００９】
外枠１には、図２に示すように、化粧板６の上方に位置して内枠７が装着されている。この内枠７は上軸４および下軸５の双方を中心に閉鎖状態および開放状態相互間で回動操作されるものであり、内枠７の閉鎖状態とは内枠７が前方から外枠１に接触した状態を称する。この内枠７の開放状態とは内枠７が上軸４および下軸５の双方を中心に閉鎖状態に比べて前方へ回動した状態を称するものであり、内枠７は内枠ロック機構を介して閉鎖状態にロックされている。
【００１０】
内枠７には、図１に示すように、前枠８が装着されている。この前枠８は上軸４および下軸５の双方を中心に閉鎖状態および開放状態相互間で回動操作されるものであり、前枠８の閉鎖状態とは前枠８が前方から内枠７に接触した状態を称する。この前枠８の開放状態とは前枠８が上軸４および下軸５の双方を中心に閉鎖状態に比べて前方へ回動した状態を称するものであり、前枠８は前枠ロック機構を介して閉鎖状態にロックされている。この前枠８には開口部９が形成されている。この開口部９は円形状の貫通孔を称するものであり、前枠８には開口部９を塞ぐ透明なガラス製の窓１０が固定されている。この前枠８には窓１０の下方に位置して上皿１１が固定されている。この上皿１１は賞品として払出される遊技球を受けるものであり、上面が開口する容器状をなしている。
【００１１】
内枠７には、図１に示すように、前枠８の下方に位置して下皿板１２が固定されている。この下皿板１２は横長な長方形状をなすものであり、下皿板１２には下皿１３が固定されている。この下皿１３は上皿１１内から溢れた遊技球を受けるものであり、上面が開口する容器状をなしている。この下皿板１２には下皿１３の右方に位置してハンドル台１４が固定されており、ハンドル台１４には発射ハンドル１５が装着されている。この発射ハンドル１５は遊技者が前方から手指で操作するものであり、発射停止位置および発射限度位置相互間で前後方向へ指向する軸１６を中心に回動可能にされている。
【００１２】
内枠７には、図２に示すように、機構板１７が固定されている。この機構板１７は前枠８の閉鎖状態で前枠８に後方から対向するものであり、機構板１７にはロータリーソレノイドからなる発射ソレノイド１８が固定されている。この発射ソレノイド１８は発射ハンドル１５が発射停止位置に保持されている遊技停止状態で電気的にオフされるものであり、発射ハンドル１５が発射停止位置から発射限度位置側へ回動操作されている遊技状態で電気的にオンされる。この発射ソレノイド１８の出力軸には打球槌が連結されており、発射ソレノイド１８は電気的なオン状態で打球槌を待機位置および打球位置相互間で往復的に移動操作する。
【００１３】
内枠７の機構板１７には、図２に示すように、発射レール１９が固定されている。この発射レール１９は発射ソレノイド１８の電気的なオン状態で上皿１１内から遊技球が１個単位で移送されるものであり、右から左に向けて上昇する傾斜状をなしている。この発射レール１９の右端部には球止め板２０が形成されており、球止め板２０には遊技球が通過することが不能な大きさの貫通孔が形成されている。この球止め板２０は上皿１１内から発射レール１９に移送された遊技球が発射レール１９の右端部から転落することを防止するものであり、打球槌は待機位置から打球位置に移動することに基づいて球止め板２０が転落不能に支持する遊技球を球止め板２０の貫通孔を通して右から左に向けて叩き、発射レール１９に沿って右から左に向けて転動させる。
【００１４】
内枠７には、図２に示すように、機構板１７の上方に位置して遊技盤収納部２１が形成されている。この遊技盤収納部２１は前面が開口する凹状をなすものであり、遊技盤収納部２１内には、図３に示すように、垂直な板状の遊技盤２２が収納されている。この遊技盤２２には内レール２３と外レール２４と球止めゴム２５が固定されている。内レール２３は上面が開口する円弧状をなすものであり、外レール２４は内レール２３の外周部に配置された円弧状をなすものであり、球止めゴム２５は内レール２３の右端部および外レール２４の右端部相互間の隙間を塞いでいる。これら内レール２３および外レール２４相互間には左側部に位置して発射通路２６が形成されている。この発射通路２６は下端部および上端部のそれぞれが開口する円弧状をなすものであり、発射レール１９の左端部から発射された遊技球は発射通路２６の下端部の入口を通って発射通路２６内に進入する。この発射通路２６内に進入した遊技球は発射通路２６に沿って円弧状の軌跡を描きながら上昇し、発射通路２６の上端部の出口から放出される。
【００１５】
遊技盤２２には、図３に示すように、発射通路２６の右方に隣接して遊技領域２７が形成されている。この遊技領域２７は内レール２３と外レール２４と球止めゴム２５によって囲まれた領域のうち発射通路２６を除く残りの円形状の領域を称するものであり、発射通路２６の出口から放出された遊技球が転動することが可能な最大範囲に相当する。遊技盤２２には遊技領域２７内に位置して複数の障害釘２８が固定されており、発射通路２６の出口から遊技領域２７内に放出された遊技球は障害釘２８に当りながら遊技領域２７内を落下する。この遊技領域２７は前枠８の閉鎖状態で前枠８の窓１０が前方から対向するものであり、前枠８の閉鎖状態で前方から窓１０を通して視覚的に認識可能にされている。
【００１６】
遊技盤２２には、図３に示すように、遊技領域２７内に位置して始動口２９が固定されている。この始動口２９は上面が開口するポケット状をなすものであり、遊技領域２７内を転動する遊技球は始動口２９内に始動口２９の上面から入賞可能にされている。この始動口２９内には始動口センサが固定されている。この始動口センサは始動口センサの検出領域内に金属物が進入することに基づいて発振状態が変化する近接スイッチからなるものであり、遊技球が始動口２９内に入賞したときには始動口センサの発振状態が変化することに基づいて始動口センサから始動信号が出力される。
【００１７】
始動口センサはメイン制御回路に接続されている。このメイン制御回路はＣＰＵとＲＯＭとＲＡＭを有するものであり、始動口センサから始動信号が出力されたと判断することに基づいて大当りカウンタの現在の計測値を検出する。この大当りカウンタはメイン制御回路が一定時間（例えば４ｍｓｅｃ）が経過する毎に単位値（例えば「１」）だけ更新するものであり、大当りカウンタの更新処理は予め決められた下限値（例えば「０」）を基準に予め決められた上限値（例えば「１００」）まで加算された後に下限値に戻して循環的に行われる。このメイン制御回路は大当りカウンタの検出結果を予め決められた大当り値（例えば「７」）と比較するものであり、大当りカウンタの検出結果が大当り値と同一である場合に大当りであると判定し、大当りカウンタの検出結果が大当り値と相違している場合に大当りではない外れであると判定する。
【００１８】
メイン制御回路には表示制御回路が接続されており、メイン制御回路は大当りであると判定したときには表示制御回路に大当りコマンドを送信し、外れであると判定したときには表示制御回路に外れコマンドを送信する。この表示制御回路はＣＰＵとＲＯＭとＲＡＭを有するものであり、大当りコマンドを受信したときには装飾図柄を大当りの組合せに設定し、外れコマンドを受信したときには装飾図柄を外れの組合せに設定する。この装飾図柄は左列の図柄要素と中列の図柄要素と右列の図柄要素の組合せからなるものであり、大当りの組合せとは左列の図柄要素と中列の図柄要素と右列の図柄要素のそれぞれが相互に同一な組合せを称し、外れの組合せとは左列の図柄要素と中列の図柄要素と右列の図柄要素のそれぞれが相互に同一ではない組合せを称する。
【００１９】
遊技盤２２には、図３に示すように、遊技領域２７内に位置して特別入賞口３０が固定されている。この特別入賞口３０は前面が開口する横長な箱状をなすものであり、特別入賞口３０には扉３１が左右方向へ指向する軸３２を中心に回動可能に装着されている。この扉３１は特別入賞口ソレノイドの出力軸に連結されており、特別入賞口ソレノイドの電気的なオフ状態で垂直な閉鎖状態になることに基づいて特別入賞口３０の前面を遊技球が入賞不能に閉鎖する。この扉３１は特別入賞口ソレノイドの電気的なオン状態で前方へ水平に倒れた開放状態に回動するものであり、扉３１の開放状態では遊技領域２７内を転動する遊技球が扉３１に乗って特別入賞口３０内に転がり込むことが許容される。図３は扉３１を開放状態で示している。遊技盤２２には貫通孔状のアウト口３３が形成されている。このアウト口３３は内レール２３の最低部に配置されたものであり、始動口２９内および特別入賞口３０内のいずれにも入賞しなかった遊技球は内レール２３に沿って転動することに基づいてアウト口３３内に進入し、アウト口３３を通して遊技盤２２の前方から後方に排出される。
【００２０】
遊技盤２２には、図５に示すように、遊技領域２７内に位置して開口部３４が形成されており、開口部３４内には前方から表示台枠３５が挿入されている。この表示台枠３５は、図４に示すように、前面および後面のそれぞれが開口する開口部３５ａを有する枠状をなすものであり、有色不透明な合成樹脂を材料に成形されている。この表示台枠３５には、図５に示すように、前後方向の中央部に位置してフランジ部３６が形成されており、フランジ部３６は前方から遊技盤２２に接触している。このフランジ部３６は表示台枠３５を取囲む環状をなすものであり、表示台枠３５は前方からフランジ部３６を通して遊技盤２２に複数のネジのそれぞれを螺合することに基づいて前方から前枠８の閉鎖状態で前枠８の窓１０を通して視覚的に認識可能となるように遊技盤２２に固定されている。
【００２１】
遊技盤２２には表示台枠３５の後方に位置して表示台枠カバーが固定されている。この表示台枠カバーは表示台枠３５の開口部３５ａに後方から対向する開口部を有する枠状をなすものであり、表示台枠カバーには、図３に示すように、図柄表示器３７が固定されている。この図柄表示器３７はカラー液晶表示器からなるものであり、横長な長方形状の表示領域３８を有している。この表示領域３８は液晶パネルからなるものであり、図柄表示器３７は表示領域３８が前枠８の閉鎖状態で前方から前枠８の窓１０と表示台枠３５の開口部３５ａと表示台枠カバーの開口部のそれぞれを通して視覚的に認識可能となるように配置されている。この図柄表示器３７は表示制御回路に接続されており、表示制御回路は装飾図柄を設定したときには図柄表示器３７の表示領域３８内に装飾図柄遊技の映像の表示を開始する。
【００２２】
装飾図柄遊技の映像は図柄表示器３７の表示領域３８内に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」「２」「３」「４」「５」「６」「７」「８」を予め決められた順序「１」→「２」→「３」→「４」→「５」→「６」→「７」→「８」→「１」・・・で循環的に変化させることで行われる。この装飾図柄遊技の映像では左列の図柄要素が１番目に可変停止し、右列の図柄要素が２番目に可変停止し、中列の図柄要素が３番目に可変停止する。これら左列の図柄要素〜中列の図柄要素のそれぞれの停止表示は装飾図柄が設定結果に応じた組合せとなるように行われるものであり、メイン制御回路が大当りであると判定したときには最終の中列の図柄要素が停止表示された時点で図柄表示器３７の表示領域３８内に装飾図柄が大当りの組合せで表示され、メイン制御回路が外れであると判定したときには最終の中列の図柄要素が停止表示された時点で図柄表示器３７の表示領域３８内に装飾図柄が外れの組合せで表示される。
【００２３】
特別入賞口３０の特別入賞口ソレノイドはメイン制御回路に接続されており、メイン制御回路は大当りであると判定したときには特別入賞口ソレノイドを電気的なオフ状態から電気的なオン状態に切換えることに基づいて特別入賞口３０の扉３１を閉鎖状態から開放状態に回動操作する。この扉３１の開放操作は図柄表示器３７の表示領域３８内に装飾図柄が大当りの組合せで表示された後のタイミングで開始されるものであり、メイン制御回路は外れであると判定したときには特別入賞口ソレノイドを電気的なオフ状態から電気的なオン状態に切換えることなく特別入賞口３０の扉３１を閉鎖状態に保持する。
【００２４】
表示台枠３５には、図４に示すように、開口部３５ａ内に位置して装飾部材３９が固定されている。この装飾部材３９は高層建築物を模した縦長なものであり、前方から見て図柄表示器３７の右方に配置されている。この装飾部材３９は有色不透明な合成樹脂を材料とするものであり、後方から表示台枠カバーによって覆われている。この装飾部材３９には上下方向の中央部に位置して電飾部４０が形成されている。この電飾部４０は、図６に示すように、前面および後面のそれぞれが開口するものであり、電飾部４０内には電光掲示板４１が固定されている。この電光掲示板４１は透明な合成樹脂を材料とするものであり、電飾部４０の内部空間を前後方向に区画する板状をなしている。この電光掲示板４１の後方にはＬＥＤが配置されている。このＬＥＤは表示台枠カバーに固定されたものであり、電光掲示板４１は後方のＬＥＤが点灯することに基づいて照明される。
【００２５】
表示台枠３５には、図４に示すように、開口部３５ａ内に位置して隙間領域４２が形成されている。この隙間領域４２は装飾部材３９の右方の隙間状の空間部を称するものであり、表示台枠３５には隙間領域４２内に位置して電飾装置４３が装着されている。この電飾装置４３は装飾図柄遊技の映像を光で装飾するものであり、隙間領域４２を機械的に埋めることで表示台枠３５の剛性を高める機能を備えている。この電飾装置４３は後方から表示台枠カバーによって覆われたものであり、次のように構成されている。
【００２６】
表示台枠カバーには、図５に示すように、電飾基板４４が固定されている。この電飾基板４４はプリント配線基板からなるものであり、図４に示すように、前方から見て表示台枠３５の隙間領域４２内に配置されている。この電飾基板４４の前面には、図５に示すように、複数のＬＥＤ４５が搭載されており、複数のＬＥＤ４５のそれぞれは電飾基板４４の配線パターンを介してコネクタ４６に接続されている。このコネクタ４６は電飾基板４４の後面に搭載されたものであり、コネクタ４６には後方から対のコネクタが電気的および機械的に接続されている。この対のコネクタは複数のＬＥＤ４５のそれぞれにコネクタ４６から電飾基板４４の配線パターンを通して駆動電源を印加するものであり、電飾制御回路に接続されている。この電飾制御回路は装飾図柄遊技で複数のＬＥＤ４５のそれぞれに予め決められた電飾パターンで駆動電源を印加するものであり、複数のＬＥＤ４５のそれぞれは電飾制御回路から駆動電源が印加されることに基づいて電飾パターンに応じた内容で光を前方へ投射する。
【００２７】
表示台枠３５には、図５に示すように、後レンズ部材４７が固定されている。この後レンズ部材４７は透明な合成樹脂を材料とするものであり、遊技盤２２より後方に配置されている。この後レンズ部材４７は前方から見て表示台枠３５の隙間領域４２内に位置するものであり、後レンズ４８および後レンズ枠４９を有している。後レンズ４８は遊技盤２２に対して平行な板状の部分を称するものであり、電飾基板４４の複数のＬＥＤ４５のそれぞれは後レンズ４８の後方に対向配置されている。この後レンズ４８は複数のＬＥＤ４５のそれぞれから投射された光が透過するものであり、後レンズ４８の後面は凹凸が存在しない平滑面に設定されている。
【００２８】
後レンズ４８の前面には、図７に示すように、複数の光拡散部５０が形成されている。これら複数の光拡散部５０のそれぞれは左右方向へ指向するものであり、相互に平行に配置されている。これら複数の光拡散部５０のそれぞれは、図５に示すように、垂直線に沿う断面が円弧状をなすものであり、複数のＬＥＤ４５のそれぞれから投射される光は後レンズ４８を透過することに基づいて光拡散部５０の形状に応じた模様で拡散される。即ち、後レンズ４８は光を拡散するための凹凸状の模様を前面に有するものである。
【００２９】
後レンズ枠４９は、図５に示すように、後レンズ４８を取囲む枠状をなすものである。この後レンズ枠４９は前面が開口するものであり、後レンズ４８は後レンズ枠４９の後面を塞いでいる。この後レンズ枠４９には、図７に示すように、上端部に位置して上取付片４９ａが形成されている。この上取付片４９ａは後レンズ枠４９から上方に突出するものであり、遊技盤２２に対して平行な板状をなしている。この上取付片４９ａには仮止め孔５１および共締め孔５４が形成されている。この仮止め孔５１は、図５に示すように、後方から仮止め用のネジ５２が挿入されたものであり、仮止め用のネジ５２は後ボス部５３内に収納されている。この後ボス部５３は上取付片４９ａに形成されたものであり、上取付片４９ａから前方へ突出する円筒状をなしている。
【００３０】
後レンズ枠４９には、図７に示すように、下取付片４９ｂおよび中取付片４９ｃが形成されている。これら下取付片４９ｂおよび中取付片４９ｃのそれぞれは上取付片４９ａに対して平行な板状をなすものであり、下取付片４９ｂは後レンズ枠４９から下方に突出し、中取付片４９ｃは後レンズ枠４９から右方に突出している。これら下取付片４９ｂおよび中取付片４９ｃのそれぞれには共締め孔５４が形成されており、上取付片４９ａと下取付片４９ｂと中取付片４９ｃのそれぞれの共締め孔５４内には、図５に示すように、後方から共締め用のネジ５５が挿入されている。
【００３１】
表示台枠３５には、図５に示すように、前レンズ部材５７が固定されている。この前レンズ部材５７は透明な合成樹脂を材料とするものであり、後レンズ部材４７の前方に位置するように表示台枠３５の隙間領域４２内に直接的に介在されている。この前レンズ部材５７は前レンズ５８および前レンズ枠５９を有している。前レンズ５８は後レンズ４８に前方から隙間を介して対向するものであり、図６に示すように、右から左に向けて後方へ傾斜する板状をなしている。この前レンズ５８は複数のＬＥＤ４５のそれぞれから投射された光が後レンズ４８を透過した後に透過するものであり、後レンズ４８に対して傾斜配置されている。
【００３２】
前レンズ５８の前面は、図８に示すように、複数の光拡散面６０の集合体から構成されている。これら複数の光拡散面６０のそれぞれは隣接する光拡散面６０に対して交差するものであり、平面および円弧面のいずれとも相違する捩れ面から構成されている。この前レンズ５８の後面にはシボパターン６１が形成されている。このシボパターン６１は隣接する凸部相互間に凹部を形成してなる凹凸状をなすものであり、後レンズ４８を透過した光は前レンズ５８を透過することに基づいてシボパターン６１および光拡散面６０のそれぞれの形状に応じた模様で拡散される。即ち、前レンズ５８は光を拡散するための凹凸状の模様を前面および後面のそれぞれに有するものである。
【００３３】
前レンズ枠５９は、図５に示すように、前レンズ５８を取囲む枠状をなすものである。この前レンズ枠５９は後面が開口するものであり、前レンズ５８は前レンズ枠５９の前面を塞いでいる。この前レンズ枠５９には、図８に示すように、上取付片５９ａと下取付片５９ｂと中取付片５９ｃが形成されている。これら上取付片５９ａと下取付片５９ｂと中取付片５９ｃのそれぞれは遊技盤２２に対して平行な板状をなすものであり、上取付片５９ａは前レンズ枠５９から上方に突出し、下取付片５９ｂは前レンズ枠５９から下方に突出し、中取付片５９ｃは前レンズ枠５９から右方に突出している。
【００３４】
前レンズ枠５９の上取付片５９ａと下取付片５９ｂと中取付片５９ｃのそれぞれには、図８に示すように、外ボス部６２が形成されている。これら３本の外ボス部６２のそれぞれは、図５に示すように、前面および後面の双方が開口する円筒状をなすものであり、内ボス部６３の外周面に嵌合されている。これら３本の内ボス部６３のそれぞれは表示台枠３５のフランジ部３６に形成されたものであり、前レンズ部材５７は３本の外ボス部６２のそれぞれの内周面が内ボス部６３の外周面に嵌合することに基づいて表示台枠３５の隙間領域４２を塞ぐ目標位置に保持されている。
【００３５】
表示台枠３５の３本の内ボス部６３のそれぞれは、図５に示すように、遊技盤２２の開口部３４を通して遊技盤２２の後方に突出する円筒状をなすものであり、径大部６３ａを有している。これら３本の内ボス部６３のそれぞれの径大部６３ａは内ボス部６３のうち外ボス部６２が嵌合された部分に比べて直径寸法が大きなものであり、前レンズ枠５９の３個の外ボス部６２のそれぞれは後方から内ボス部６３の径大部６３ａに接触している。これら３個の内ボス部６３のそれぞれの内周面には後方から共締め用のネジ５５が螺合されており、後レンズ部材４７の上取付片４９ａおよび前レンズ部材５９の上取付片５９ａのそれぞれは共通の共締め用のネジ５５を介して内ボス部６３の径大部６３ａに締結され、後レンズ部材４７の下取付片４９ｂおよび前レンズ部材５９の下取付片５９ｂのそれぞれは共通の共締め用のネジ５５を介して内ボス部６３の径大部６３ａに締結され、後レンズ部材４７の中取付片４９ｃおよび前レンズ部材５９の中取付片５９ｃのそれぞれは共通の共締め用のネジ５５を介して内ボス部６３の径大部６３ａに締結されている。
【００３６】
後レンズ部材４７および前レンズ部材５７のそれぞれは、図４に示すように、表示台枠３５に固定されることに基づいて表示台枠３５の隙間領域４２を埋めるものである。これら後レンズ部材４７および前レンズ部材５７のそれぞれが表示台枠３５に固定された状態では後レンズ枠４９の上取付片４９ａおよび前レンズ枠５９の上取付片５９ａ相互間が前後方向に接触し、後レンズ枠４９の下取付片４９ｂおよび前レンズ枠５９の下取付片５９ｂ相互間が前後方向に接触し、後レンズ枠４９の中取付片４９ｃおよび前レンズ枠５９の中取付片５９ｃ相互間が前後方向に接触する。
【００３７】
後レンズ部材４７の後レンズ枠４９には、図７に示すように、上取付片４９ａに位置してスペーサ６４が形成されている。このスペーサ６４は後レンズ枠４９から前方へ突出するものであり、前面が開口する円筒状をなしている。このスペーサ６４は３本の共締め用のネジ５５のうち上端部の１本が挿入されたものであり、後レンズ部材４７および前レンズ部材５７のそれぞれが表示台枠３２に固定された状態で前レンズ枠５９の上取付片５９ａに後方から接触する。
【００３８】
前レンズ部材５７の前レンズ枠５９には、図５に示すように、上取付片５９ａに位置して前ボス部６５が形成されている。この前ボス部６５は前面および後面のそれぞれが開口する円筒状をなすものであり、後レンズ枠４９の後ボス部５３の内周面に嵌合されている。この前ボス部６１の内周面には後方から後レンズ枠４９の仮止め孔５１を通して仮止め用のネジ５２が螺合されており、後レンズ部材４７および前レンズ部材５７相互間は仮止め用のネジ５２を介して接合されている。これら仮止め用のネジ５２と後ボス部５３と前ボス部６５の３部材は後レンズ部材４７および前レンズ部材５７のそれぞれを互いに目標位置に仮止めした状態で表示台枠３５に固定するためのものであり、後レンズ部材４７および前レンズ部材５７のそれぞれは下記１）〜２）の手順で表示台枠３５に固定され、表示台枠３５は下記３）の手順で遊技盤２２に固定される。
１）前レンズ部材５７の前ボス部６５を後レンズ部材４７の後ボス部５３の内周面に嵌合し、前レンズ部材５７を後ボス部５３および前ボス部６５のそれぞれを中心に後レンズ部材４７に対して相対的に回転操作することに基づいて前レンズ部材５７の３個の外ボス部６２のそれぞれを後レンズ部材４７の共締め孔５４に対向させる。これら後レンズ部材４７および前レンズ部材５７相互間の位置決め状態で仮止め用のネジ５２を後方から後レンズ部材４７の仮止め孔５１を通して前レンズ部材５７の前ボス部６５の内周面に螺合し、後レンズ部材４７および前レンズ部材５７相互間を接合する。これら後レンズ部材４７および前レンズ部材５７相互間が接合された状態では後レンズ部材４７の後レンズ４８および前レンズ部材５７の前レンズ５８相互間が隙間を介して前後方向に対向し、後レンズ部材４７の後レンズ枠４９および前レンズ部材５７の前レンズ枠５９相互間が相互に接触し、図５に示すように、後レンズ部材４７および前レンズ部材５７から中空状のレンズボックス６６が構成される。このレンズボックス６６は、図６に示すように、切欠部６７を有するものであり、レンズボックス６６の内部空間はレンズボックス６６が表示台枠３５に固定されていない状態で切欠部６７を介して外部空間に接続されている。
２）表示台枠３５の３本の内ボス部６３のそれぞれの外周面に後方から前レンズ部材５７の外ボス部６２を嵌合し、後レンズ部材４７の３個の共締め孔５４のそれぞれから内ボス部６３の内周面に共締め用のネジ５５を螺合することでレンズボックス６６を表示台枠３５に固定する。このレンズボックス６６の組付け時には表示台枠３５に装飾部材３９が固定されており、レンズボックス６６の切欠部６７はレンズボックス６６が装飾部材３９に突当たることに基づいて３本の外ボス部６２のそれぞれが内ボス部６３に対して嵌合不能になることを避けるために形成されている。このレンズボックス６６が表示台枠３５に固定された状態では、図６に示すように、装飾部材３９がレンズボックス６６に接触し、レンズボックス６６の切欠部６７を閉鎖することに基づいてレンズボックス６６を密閉する。このレンズボックス６６が表示台枠３５に固定された状態ではレンズボックス６６が表示台枠３５の隙間領域４２内に介在され、表示台枠３５の隙間領域４２がレンズボックス６６によって埋められる。
３）表示台枠３５を遊技盤２２の開口部３４内に前方から挿入し、前方から表示台枠３５のフランジ部３６を通して遊技盤２２に複数のネジのそれぞれを螺合することに基づいて表示台枠３５を遊技盤２２に固定する。この表示台枠３５の固定状態で遊技盤２２に後方から表示台枠カバーを固定する。この表示台枠カバーには図柄表示器３７が予め固定されており、図柄表示器３７の表示領域３８は表示台枠カバーが遊技盤２２に固定されることに基づいて表示台枠３５の開口部３５ａを通して視覚的に認識可能となる位置に固定される。
【００３９】
上記実施例１によれば次の効果を奏する。
後レンズ部材４７の上取付片４９ａから前レンズ部材５７の上取付片５９ａを通して表示台枠３５の内ボス部６３内にネジ５５を螺合し、後レンズ部材４７の下取付片４９ｂから前レンズ部材５７の下取付片５９ｂを通して表示台枠３５の内ボス部６３内にネジ５５を螺合し、後レンズ部材４７の中取付片４９ｃから前レンズ部材５７の中取付片５９ｃを通して表示台枠３５の内ボス部６３内にネジ５５を螺合することで後レンズ部材４７および前レンズ部材５７のそれぞれが一挙に表示台枠３５に固定される。これら後レンズ部材４７および前レンズ部材５７のそれぞれが表示台枠３５に固定された状態では後レンズ部材４７および前レンズ部材５７の双方から中空状のレンズボックス６６が構成され、表示台枠３５の隙間領域４２内にレンズボックス６６が介在される。このため、表示台枠３５の隙間領域４２がレンズボックス６６によって補強されるので、表示台枠３５を遊技盤２２の開口部３４内に補強状態で組付けることができる。
【００４０】
後レンズ部材４７の後ボス部５３および前レンズ部材５７の前ボス部６５相互間を嵌合することに基づいて後レンズ部材４７および前レンズ部材５７相互間を組合せ、後レンズ部材４７および前レンズ部材５７のそれぞれを組合せ状態で表示台枠３５に固定することができる。しかも、後レンズ部材４７および前レンズ部材５７のそれぞれを後ボス部５３および前ボス部６５の双方を中心に回転操作し、後レンズ部材４７および前レンズ部材５７相互間を目標位置に位置合せすることができる。
【００４１】
レンズボックス６６を表示台枠３５に固定することに基づいて装飾部材３９に接触させ、レンズボックス６６の切欠部６７を装飾部材３９によって閉鎖したので、レンズボックス６６が表示台枠３５に固定されることに基づいて密閉される。このため、遊技中に遊技盤２２の遊技領域２７内を転動する遊技球から脱落した塵埃がレンズボックス６６内に侵入することが防止されるので、後レンズ部材４７の後レンズ４８および前レンズ部材５７の前レンズ５８のそれぞれに塵埃が付着することに基づいて電飾効果が低下することが防止される。
【図面の簡単な説明】
【００４２】
【図１】実施例１を示す図（パチンコ遊技機を前方から示す図）
【図２】パチンコ遊技機を前枠の除去状態で前方から示す図
【図３】遊技盤を前方から示す図
【図４】表示台枠を前方から示す図
【図５】図４のＸ５線に沿う断面図
【図６】（ａ）は図４のＸａ線に沿う断面図、（ｂ）は図４のＸｂ線に沿う断面図
【図７】後レンズの外観を前方から示す図
【図８】（ａ）は前レンズの外観を前方から示す図、（ｂ）は前レンズの外観を後方から示す図
【符号の説明】
【００４３】
２２は遊技盤、２７は遊技領域、２９は始動口、３０は特別入賞口（可変入球口）、３５は表示台枠（装飾枠）、３５ａは開口部、３７は図柄表示器、３８は表示領域、４５はＬＥＤ（光源）、４７は後レンズ部材（後電飾部材）、４８は後レンズ（後透光板）、４９は後レンズ枠（後枠）、４９ａは上取付片（後ネジ挿入片）、４９ｂは下取付片（後ネジ挿入片）、４９ｃは中取付片（後ネジ挿入片）、５３は後ボス部（嵌合部）、５５はネジ、５７は前レンズ部材（前電飾部材）、５８は前レンズ（前透光板）、５９は前レンズ枠（前枠）、５９ａは上取付片（前ネジ挿入片）、５９ｂは下取付片（前ネジ挿入片）、５９ｃは中取付片（前ネジ挿入片）、６３は内ボス部（ネジ螺合部）、６５は前ボス部（被嵌合部）、６６はレンズボックス（箱体）を示している。
【図１】
2009226022.tif 000003
【図２】
2009226022.tif 000004
【図３】
2009226022.tif 000005
【図４】
2009226022.tif 000006
【図５】
2009226022.tif 000007
【図６】
2009226022.tif 000008
【図７】
2009226022.tif 000009
【図８】
2009226022.tif 000010